(57)【要約】【課題】見栄えの向上が可能で、かつ断熱性を向上し得る窓装置を提供する。【解決手段】窓装置１は、それぞれに透光板２７，３７の四周に框２１，３１が設けられた固定窓部材２０及び可動窓部材３０と、これら固定窓部材及び可動窓部材が建て付けられる枠部材１０と、を備えており、前記枠部材の上枠１１及び下枠１３には、前記可動窓部材の上框３２及び下框３４の全体をスライド自在に受け入れる凹溝状の可動窓受部１２ａ，１４ａと、前記固定窓部材の上框２２及び下框２４の全体をスライド不能に受け入れる凹溝状の固定窓受部１２ｂ，１４ｂと、が見込方向に隣接して設けられている。【選択図】図１
2020002581.tif 000002
【特許請求の範囲】
【請求項１】
それぞれに透光板の四周に框が設けられた固定窓部材及び可動窓部材と、これら固定窓部材及び可動窓部材が建て付けられる枠部材と、を備えており、
前記枠部材の上枠及び下枠には、前記可動窓部材の上框及び下框の全体をスライド自在に受け入れる凹溝状の可動窓受部と、前記固定窓部材の上框及び下框の全体をスライド不能に受け入れる凹溝状の固定窓受部と、が見込方向に隣接して設けられていることを特徴とする窓装置。
【請求項２】
請求項１において、
前記固定窓部材の縦框及び前記可動窓部材の縦框が当接される前記枠部材の縦枠には、これら固定窓部材及び可動窓部材の縦框の全体を受け入れる凹溝状の窓受部が設けられていることを特徴とする窓装置。
【請求項３】
請求項１または２において、
前記枠部材の下枠には、閉鎖状態の前記可動窓部材が配される部位の可動窓受部の見込方向固定窓受部側及び前記固定窓受部の反縦枠側を区画し、かつ上面が当該下枠の上面と面一状とされた突段部が設けられていることを特徴とする窓装置。
【請求項４】
請求項１乃至３のいずれか１項において、
前記枠部材の両側の縦枠のそれぞれに当接される２枚の前記固定窓部材と、これら固定窓部材の見込方向一方側において引分状に配される２枚の前記可動窓部材と、を備えていることを特徴とする窓装置。
【請求項５】
請求項１乃至４のいずれか１項において、
前記固定窓受部及び前記可動窓受部は、前記上枠及び前記下枠の長手方向の端面において開口しており、
前記両側の縦枠の上端部及び下端部には、前記固定窓受部及び前記可動窓受部に嵌め込まれる突部が設けられていることを特徴とする窓装置。
【発明の詳細な説明】
【技術分野】
【０００１】
本発明は、窓部材及び枠部材を備えた窓装置に関する。
【背景技術】
【０００２】
従来より、ガラスパネル等の透光板の四周を囲むように框を設けた窓部材及びこれを保持する枠部材（サッシ枠）を備えた窓装置が知られている。このような窓装置においては、窓部材の框が枠部材の内周側に大きく露出するため、煩雑な印象を与えるもので、また、採光面積が小さくなる傾向があった。
例えば、下記特許文献１には、水平方向に延びる複数の溝部を有する枠部材と、複数の溝部内に摺動可能に設けられる少なくとも２枚以上の障子と、を備えた建具が開示されている。
【先行技術文献】
【特許文献】
【０００３】
【特許文献１】特開２０１８−７１３１５号公報
【発明の概要】
【発明が解決しようとする課題】
【０００４】
しかしながら、上記特許文献１に記載された建具では、引違状に配される複数の障子のそれぞれをスライド自在に保持する間口方向に延びる複数の溝部を並列状に設ける必要があるため、これら溝部において熱損失が生じ易くなることが考えられた。
【０００５】
本発明は、上記実情に鑑みてなされたものであり、見栄えの向上が可能で、かつ断熱性を向上し得る窓装置を提供することを目的としている。
【課題を解決するための手段】
【０００６】
上記目的を達成するために、本発明に係る窓装置は、それぞれに透光板の四周に框が設けられた固定窓部材及び可動窓部材と、これら固定窓部材及び可動窓部材が建て付けられる枠部材と、を備えており、前記枠部材の上枠及び下枠には、前記可動窓部材の上框及び下框の全体をスライド自在に受け入れる凹溝状の可動窓受部と、前記固定窓部材の上框及び下框の全体をスライド不能に受け入れる凹溝状の固定窓受部と、が見込方向に隣接して設けられていることを特徴とする。
【発明の効果】
【０００７】
本発明に係る窓装置は、上述のような構成としたことで、見栄えの向上が可能で、かつ断熱性を向上させることができる。
【図面の簡単な説明】
【０００８】
【図１】本発明の一実施形態に係る窓装置の一例を模式的に示す概略分解斜視図である。
【図２】同窓装置を設置した状態を模式的に示す概略正面図である。
【図３】図２におけるＸ−Ｘ線矢視に対応させた一部破断概略横断面図である。
【図４】図２におけるＹ１−Ｙ１線矢視に対応させた一部破断概略縦断面図である。
【図５】図２におけるＹ２−Ｙ２線矢視に対応させた一部破断概略縦断面図である。
【図６】（ａ）は、図１におけるＺ１部に対応させた一部破断概略斜視図、（ｂ）は、図１におけるＺ２部に対応させた一部破断概略斜視図である。
【図７】同窓装置の概略正面図である。
【図８】同窓装置の概略背面図である。
【図９】（ａ）は、同窓装置の概略平面図、（ｂ）は、同窓装置の概略側面図（右側面図）、（ｃ）は、同窓装置の概略底面図である。
【発明を実施するための形態】
【０００９】
以下に本発明の実施の形態について、図面に基づいて説明する。
なお、一部の図では、他図に付している詳細な符号の一部を省略している。また、図９では、左側面図は右側面図と対称であるので省略している。
また、以下の実施形態では、本実施形態に係る窓装置（枠付き窓）が設置された状態を基準として上下方向等の方向を説明する。
【００１０】
図１〜図９は、本実施形態に係る窓装置の一例を模式的に示す図である。
本実施形態に係る窓装置１は、図１及び図２に示すように、それぞれに透光板２７，３７の四周に框２１，３１が設けられた固定窓部材２０及び可動窓部材３０と、これら固定窓部材２０及び可動窓部材３０が建て付けられる枠部材１０と、を備えている。
この窓装置１は、成人の腰高程度の高さから天井側に設けられた腰高窓としてもよいが、本実施形態では、床から天井側に設けられ、比較的に上下寸法が大とされた掃出窓としている。この場合は、例えば、上枠１１から下枠１３までの上下寸法を、１８００ｍｍ〜２６００ｍｍ程度としてもよく、両縦枠１６，１６間の開口幅方向に沿う寸法を、１２００ｍｍ〜３６００ｍｍ程度としてもよい。図例では、上枠１１から下枠１３までの上下寸法と両縦枠１６，１６間の開口幅方向に沿う寸法とを概ね同寸法とした例を示している。なお、当該窓装置１の寸法は、このような寸法に限られず、設置箇所や用途等に応じて適宜の寸法としてもよい。
【００１１】
また、窓装置１は、図３及び図４に示すように、住居等の建物の屋外２と屋内３とを区画する壁体に設置される。このような壁体としては、適宜の壁下地の屋外２側に外装壁材６が固定され、壁下地の屋内３側に内装壁材８が固定されて構築されたものでもよい。なお、本実施形態に係る窓装置１が設置される壁体としては、このような態様に限られず、少なくとも屋外２側がコンクリート仕上面とされた鉄筋コンクリート構造の壁体でもよく、その他、種々の構成とされた壁体でもよい。
本実施形態では、窓装置１は、当該窓装置１の枠部材１０を囲むように枠部材１０の屋外２側に固定され、かつ外装壁材６が固定される補強フレーム５を備えている。この補強フレーム５は、枠部材１０の四周を囲むように枠状とされている。図例では、補強フレーム５を、屋外２側に向けて開口する長手方向（周方向）に見て略Ｃ字状（略Ｕ字状）とされた溝形鋼状（チャンネル状）とした例を示している。なお、この補強フレーム５の少なくとも下フレームに、上下方向に貫通する排水孔を設けた構成としてもよい。外装壁材６には、この補強フレーム５の開口に応じた開口７が設けられている。なお、図例では、外装壁材６を額縁状とした例を示しているが、複数の外装壁材６が組み合わせられて開口７が形成されるものでもよい。
【００１２】
また、本実施形態では、窓装置１は、枠部材１０の両側の縦枠１６，１６のそれぞれに当接される２枚の固定窓部材２０，２０と、これら固定窓部材２０，２０の見込方向（壁厚方向）一方側において引分状に配される２枚の可動窓部材３０，３０と、を備えている。つまり、本実施形態では、窓装置１は、開口幅方向両側の固定窓部材２０，２０のそれぞれの見込方向一方側に重ね合わせられるように可動窓部材３０，３０が配されて開放される構成とされている（図３における二点鎖線参照）。また、本実施形態では、可動窓部材３０，３０を、固定窓部材２０，２０の見込方向一方側としての屋内３側に設けた構成としている。つまり、固定窓部材２０，２０を屋外２側に設けた構成としている。
また、２枚の固定窓部材２０，２０を互いに同様の構成とされた同一部材とし、２枚の可動窓部材３０，３０を互いに同様の構成とされた同一部材としている。また、図３に示すように、これら固定窓部材２０，２０及び可動窓部材３０，３０のそれぞれの幅寸法を、互いに同寸法としている（図７及び図８も参照）。
【００１３】
これら固定窓部材２０及び可動窓部材３０の透光板２７，３７は、略無色透明とされたものに限られず、有色透明とされたものや半透明とされたものでもよく、スモークガラス状やすりガラス状とされたものでもよい。また、これら透光板２７，３７は、厚さ方向に隣り合うガラスパネル間に真空層を設けた真空断熱ガラスでもよく、真空層に代えて種々のガスが充填された中空層を設けた多重ガラスでもよく、更には単板ガラスでもよい。また、これら透光板２７，３７は、ガラスに限られず、アクリルやポリカーボネート等の合成樹脂系材料から形成されたものでもよい。また、図例では、固定窓部材２０の透光板２７の厚さ寸法を可動窓部材３０の透光板３７の厚さ寸法よりも大とした例を示しているが、互いに同寸法としてもよい。
【００１４】
固定窓部材２０の框２１は、図１、図３及び図５に示すように、上框２２と下框２４と両側の縦框２６，２６とを備えている。これら上框２２、下框２４及び各縦框２６，２６の内周側には、透光板２７の四周端部を受け入れる受入溝２２ａ，２４ａ，２６ａ，２６ａが設けられている。これら受入溝２２ａ，２４ａ，２６ａ，２６ａは、上框２２、下框２４及び各縦框２６，２６の略全長に亘って延びるように設けられている。また、図例では、これら受入溝２２ａ，２４ａ，２６ａ，２６ａを、上框２２、下框２４及び各縦框２６，２６の見込方向略中央部に位置するように設けた例を示している。なお、これら受入溝２２ａ，２４ａ，２６ａ，２６ａには、図示は省略しているが、透光板２７の四周端部を保持するガスケット（グレイジングガスケット）が嵌め込まれている。
【００１５】
両側の縦框２６，２６は、図３に示すように、互いに同様の構成とされている。また、これら両側の縦框２６，２６は、長手方向に見て略方形状の外郭形状とされている。図例では、これら縦框２６，２６を、中空筒状とした例を示しているが中実状としてもよい。開口幅方向外側の縦框２６が縦枠１６に当接され、開口幅方向中央側の縦框２６が可動窓部材３０，３０によって開閉される開口の開口幅方向一方側を区画する。なお、開口幅方向外側の縦框２６は、適宜のシール部材を介して縦枠１６に当接されるものでもよい。
上框２２及び下框２４は、図５に示すように、互いに同様の構成とされている。また、これら上框２２及び下框２４は、上記と概ね同様、長手方向に見て略方形状の外郭形状とされ、中空筒状とされている。また、本実施形態では、これら上框２２及び下框２４に、ねじ等の止具が止着される止着部と、止着部に止着された止具の頭部を収容する頭部収容凹所と、頭部収容凹所の開口を覆うカバーと、を設けた構成としている。図例では、上框２２及び下框２４の受入溝２２ａ，２４ａの見込方向一方側（屋内３側）の中空部を構成するように頭部収容凹所を設けた例を示している。
【００１６】
また、これら上框２２及び下框２４には、上下方向外側に向けて開口する受入凹所２３，２５が設けられている。これら受入凹所２３，２５は、これら上框２２及び下框２４の長手方向に延びる凹溝状とされている。また、図例では、これら受入凹所２３，２５を、上框２２及び下框２４の見込方向略中央部に設けた例を示している。
また、図例では、これら上框２２及び下框２４の見込方向に沿う寸法を、縦框２６，２６の見込方向に沿う寸法よりも小とした例を示しているが、略同寸法としてもよい。また、これら上框２２及び下框２４と縦框２６，２６とを縦勝状に接合した例を示しているが、横勝状に接合した態様としてもよい。また、上框２２と上枠１１との間及び下框２４と下枠１３との間に適宜のシール部材を設けた構成としてもよい。
【００１７】
可動窓部材３０の框３１は、上記と概ね同様、図１、図３及び図４に示すように、上框３２と下框３４と両側の縦框３６，３６とを備えている。これら上框３２、下框３４及び各縦框３６，３６の内周側には、透光板３７の四周端部を受け入れる受入溝３２ａ，３４ａ，３６ａ，３６ａが設けられている。これら受入溝３２ａ，３４ａ，３６ａ，３６ａは、上框３２、下框３４及び各縦框３６，３６の略全長に亘って延びるように設けられている。また、図例では、これら受入溝３２ａ，３４ａ，３６ａ，３６ａを、上框３２、下框３４及び各縦框３６，３６の見込方向略中央部に位置するように設けた例を示している。なお、これら受入溝３２ａ，３４ａ，３６ａ，３６ａには、上記同様、図示は省略しているが、透光板３７の四周端部を保持するガスケット（グレイジングガスケット）が嵌め込まれている。
【００１８】
両側の縦框３６，３６は、図３に示すように、互いに同様の構成とされている。また、これら両側の縦框３６，３６は、長手方向に見て略方形状の外郭形状とされている。図例では、これら縦框３６，３６を、中実状とした例を示しているが、中空筒状としてもよい。開口幅方向外側の縦框３６が開放状態で縦枠１６に当接され、開口幅方向中央側の縦框３６が閉鎖状態で他の可動窓部材３０の開口幅方向中央側の縦框３６に当接される。また、これら両側の縦框３６，３６の窓幅方向両外側に向く外側面は、開放状態で見込方向に重なり合う固定窓部材２０の両側の縦框２６，２６の窓幅方向両外側に向く外側面のそれぞれと略同一平面状となるように配される構成とされている。また、開口幅方向外側の縦框３６の窓幅方向外側に向く外側面は、閉鎖状態で見込方向に重なり合う固定窓部材２０の開口幅方向中央側の縦框２６の窓幅方向中央側に向く内側面と略同一平面状となるように配される構成とされている。
【００１９】
なお、両側の縦框３６，３６の窓幅方向両外側部位に、適宜のシール部材を設けた構成としてもよい。また、閉鎖状態で見込方向に重なり合う固定窓部材２０及び可動窓部材３０の縦框２６，３６の互いに向き合う面の両方または一方に、適宜のモヘア部材やシール部材を設けた構成としてもよい。また、閉鎖状態で見込方向に重なり合う固定窓部材２０及び可動窓部材３０の縦框２６，３６の適所や、他の部位に錠を設けた構成としてもよい。
また、これら縦框３６，３６のうちの例えば、開口幅方向中央側の縦框３６の見込方向両側に、開閉される際に手掛けされる適宜の手掛部を設けた構成としてもよい。また、図例では、これら縦框３６，３６の窓幅方向に沿う寸法を、固定窓部材２０の縦框２６，２６の窓幅方向に沿う寸法よりも大とした例を示しているが、略同寸法等としてもよい。また、これら縦框３６，３６の見込方向に沿う寸法を、固定窓部材２０の縦框２６，２６の見込方向に沿う寸法よりも小とした例を示しているが、略同寸法等としてもよい。
【００２０】
上框３２及び下框３４は、図４に示すように、長手方向に見て略方形状の外郭形状とされている。図例では、これら上框３２及び下框３４を、中実状とした例を示しているが、中空筒状としてもよい。
上框３２には、上方側に向けて開口するガイド溝３３が設けられている。このガイド溝３３は、上框３２の長手方向に延びる凹溝状とされている。このガイド溝３３は、図例のように、上框３２と縦框３６，３６とを縦勝状に接合した場合には、縦框３６，３６にも設けられている。また、図例では、このガイド溝３３を、上框３２の見込方向略中央部に設けた例を示している。
下框３４には、後記する下枠１３に設けられたレール部１３ｃに沿って転動する転動体３５が設けられている。この転動体３５は、見込方向に沿う軸回りに回転する構成とされている。
【００２１】
図例では、この転動体３５の外周面に径方向外側に向けて開口する溝部を全周に亘って設けた例を示している。また、この転動体３５は、窓幅方向に間隔を空けて複数箇所に設けられている。なお、転動体３５は、図例のように、下框３４と縦框３６，３６とを縦勝状に接合した場合には、縦框３６，３６の下端部に設けられたものでもよい。また、上框３２及び下框３４と縦框３６，３６とを縦勝状に接合した態様に代えて、横勝状に接合した態様としてもよい。
また、図例では、上框３２と下框３４との見込方向に沿う寸法を互いに同寸法とし、かつ縦框３６，３６の見込方向に沿う寸法と同寸法とした例を示しているが、このような態様に限られない。また、図例では、下框３４の上下方向に沿う寸法を上框３２の上下方向に沿う寸法よりも小とした例を示しているが、このような態様に限られない。また、上框３２と上枠１１との間及び下框３４と下枠１３との間に適宜のモヘア部材やシール部材を設けた構成としてもよい。
【００２２】
枠部材１０は、図１及び図３〜図５に示すように、壁体内に設けられた窓枠下地４の開口に嵌め込まれるように窓枠下地４の内周側に固定される。窓枠下地４は、上枠１１が固定される上枠下地４ａと、下枠１３が固定される下枠下地４ｂと、各縦枠１６，１６が固定される縦枠下地４ｃ，４ｃと、によって開口を区画している。なお、窓枠下地４は、当該窓装置１が備えたものでもよい。この場合、上記した各窓部材２０，２０，３０，３０が組み込まれた枠部材１０を窓枠下地４に固定した状態で設置されるものでもよい。また、この窓枠下地４は、壁下地を構成するものでもよい。図例では、窓枠下地４の屋内３側に内装壁材８を固定した例を示している。
【００２３】
また、枠部材１０の上枠１１、下枠１３及び各縦枠１６，１６の屋外２側の内周縁部には、屋外２側に向けて突出する突片部１１ａ，１３ａ，１６ａ，１６ａが設けられている。これら突片部１１ａ，１３ａ，１６ａ，１６ａは、四周を囲むように設けられている。上記した補強フレーム５は、これら突片部１１ａ，１３ａ，１６ａ，１６ａの外周側に沿うように設けられている。なお、図例では、これら突片部１１ａ，１３ａ，１６ａ，１６ａの屋外２側の端面を、外装壁材６の表面よりも屋内３側に位置させた例を示しているが、外装壁材６の表面と同一平面状としたり、外装壁材６の表面よりも屋外２側に位置させたりしてもよい。
【００２４】
また、枠部材１０の上枠１１及び各縦枠１６，１６の屋内３側の内周縁部には、屋内３側に向けて突出する突片部１１ｂ，１６ｂ，１６ｂが設けられている。これら突片部１１ｂ，１６ｂ，１６ｂは、上方側及び開口幅方向両側の三方を囲むように設けられている。内装壁材８は、これら突片部１１ｂ，１６ｂ，１６ｂの外周側に沿うように設けられている。また、図例では、これら突片部１１ｂ，１６ｂ，１６ｂの屋内３側の端面を、内装壁材８の表面と同一平面状とした例を示している。つまり、これら突片部１１ｂ，１６ｂ，１６ｂの突出寸法を、内装壁材８の厚さ寸法と略同寸法とした例を示している。また、下枠１３の屋内３側に突片部を設けずに、下枠１３の屋内３側に向く面に床材９を当接させた例を示している。また、下枠１３の上面と上面が同一平面状となるように床材９を設けた例を示している。なお、このような態様に代えて、下枠１３に床材９の上面を覆う突片部を設けた態様としてもよい。
【００２５】
また、図３〜図５に示すように、枠部材１０の上枠１１及び下枠１３には、凹溝状の可動窓受部１２ａ，１４ａと、凹溝状の固定窓受部１２ｂ，１４ｂと、が見込方向に隣接して設けられている。可動窓受部１２ａ，１４ａは、上記した可動窓部材３０の上框３２及び下框３４の全体をスライド自在に受け入れ、固定窓受部１２ｂ，１４ｂは、上記した固定窓部材２０の上框２２及び下框２４の全体をスライド不能に受け入れる構成とされている。
上枠１１は、開口幅方向に延びるように長尺状とされている。この上枠１１の可動窓受部１２ａ及び固定窓受部１２ｂは、下面側において下方側に向けて開口するように設けられている。これら可動窓受部１２ａ及び固定窓受部１２ｂは、本実施形態では、当該上枠１１の長手方向の両端面において開口している。
【００２６】
可動窓受部１２ａは、可動窓部材３０が設置された状態で可動窓部材３０の上框３２の全体を受入可能なように、上下方向に沿う深さ寸法が上框３２の上下寸法以上とされている。図例では、可動窓受部１２ａの深さ寸法を、上框３２の上下寸法よりも大とした例を示している。また、この可動窓受部１２ａは、可動窓部材３０のスライドが可能なように、両側の縦枠１６，１６間に亘って設けられている。本実施形態では、この可動窓受部１２ａを、上枠１１の全長に亘って設けた構成としている。また、この可動窓受部１２ａの溝底には、上記した可動窓部材３０の上框３２に設けられたガイド溝３３に差し込まれ、可動窓部材３０の上端側をガイドするガイド部を構成するガイド突条１１ｃが設けられている。このガイド突条１１ｃは、可動窓受部１２ａの溝底から下方側に向けて突出し、上枠１１の長手方向に延びるように設けられている。このガイド突条１１ｃは、後記する両側の縦枠１６，１６との接合部を除いて上枠１１の略全長に亘って設けられたものでもよい。
【００２７】
固定窓受部１２ｂは、固定窓部材２０が設置された状態で固定窓部材２０の上框２２の全体を受入可能なように、深さ寸法が上框２２の上下寸法以上とされている。図例では、固定窓受部１２ｂの深さ寸法を、上框２２の上下寸法よりも大とした例を示している。また、図例では、固定窓受部１２ｂの溝底と固定窓部材２０の上端面との間に比較的に大きな隙間を設けた例を示しているが、固定窓部材２０の上端面が固定窓受部１２ｂの溝底に当接または近接される構成としてもよい。
また、この固定窓受部１２ｂは、上枠１１の長手方向両側部位に配される固定窓部材２０，２０に対応させて上枠１１の長手方向両側部位のみに設けられたものでもよいが、図例では、上枠１１の全長に亘って設けた構成としている。また、この固定窓受部１２ｂの溝底には、上記した固定窓部材２０の上框２２に設けられた受入凹所２３に差し込まれる差込突片部１１ｄが設けられている。この差込突片部１１ｄは、固定窓受部１２ｂの溝底から下方側に向けて突出し、上枠１１の長手方向に延びるように設けられている。この差込突片部１１ｄは、固定窓部材２０の上框２２に応じた位置となるように固定窓受部１２ｂの溝底に部分的に設けられている。なお、この差込突片部１１ｄが固定窓部材２０の上端側をスライド不能とするストッパーとして機能するものでもよい。
【００２８】
また、本実施形態では、これら可動窓受部１２ａ及び固定窓受部１２ｂは、見込方向に一連状とされた上側窓受部１２によって構成されている。つまり、可動窓受部１２ａと固定窓受部１２ｂとの間に仕切等を設けずに一連状に凹溝状とされた上側窓受部１２を設けた構成としている。また、可動窓受部１２ａ及び固定窓受部１２ｂの深さ寸法を互いに同寸法としている。つまり、これら可動窓受部１２ａ及び固定窓受部１２ｂの溝底を、同一平面状としている。
また、この上側窓受部１２の溝幅方向一方側となる屋外２側に向く溝側壁面に可動窓部材３０の上框３２の屋内３側に向く表面が近接して配置される。また、この上側窓受部１２の溝幅方向他方側となる屋内３側に向く溝側壁面に固定窓部材２０の上框２２の屋外２側に向く表面が近接して配置される。図例では、上側窓受部１２の屋内３側に向く溝側壁面に固定窓部材２０の縦框２６の屋外２側に向く表面を当接させた例を示している。
【００２９】
下枠１３は、開口幅方向に延びるように長尺状とされている。この下枠１３の可動窓受部１４ａ及び固定窓受部１４ｂは、上面側において上方側に向けて開口するように設けられている。これら可動窓受部１４ａ及び固定窓受部１４ｂは、本実施形態では、当該下枠１３の長手方向の両端面において開口している。これら可動窓受部１４ａ及び固定窓受部１４ｂは、上記した上枠１１の可動窓受部１２ａ及び固定窓受部１２ｂのそれぞれに上下方向に見て重なり合う位置となるように設けられている。
【００３０】
可動窓受部１４ａは、上記同様、可動窓部材３０が設置された状態で可動窓部材３０の下框３４の全体を受入可能なように、上下方向に沿う深さ寸法が下框３４の上下寸法以上とされ、図例では、下框３４の上下寸法よりも大とされている。
また、この可動窓受部１４ａは、上記同様、可動窓部材３０のスライドが可能なように、両側の縦枠１６，１６間に亘って設けられ、下枠１３の全長に亘って設けられている。また、この可動窓受部１４ａの溝底には、上記した可動窓部材３０に設けられた転動体３５が係合し、可動窓部材３０の下端側をガイドするガイド部を構成するレール部１３ｃが設けられている。このレール部１３ｃは、可動窓受部１４ａの溝底から上方側に向けて突出し、下枠１３の長手方向に延びるように設けられている。このレール部１３ｃは、図３に示すように、後記する両側の縦枠１６，１６との接合部を除いて下枠１３の略全長に亘って設けられている。
【００３１】
固定窓受部１４ｂは、上記同様、固定窓部材２０が設置された状態で固定窓部材２０の下框２４の全体を受入可能なように、深さ寸法が下框２４の上下寸法以上とされ、図例では、下框２４の上下寸法よりも僅かに大とされている。また、この固定窓受部１４ｂの溝底に固定窓部材２０の下端面が当接または近接される。
また、この固定窓受部１４ｂは、下枠１３の長手方向両側部位に配される固定窓部材２０，２０に対応させて下枠１３の長手方向両側部位のみに設けられている。また、この固定窓受部１４ｂの溝底には、上記した固定窓部材２０の下框２４に設けられた受入凹所２５に差し込まれる差込突片部１３ｄが設けられている。この差込突片部１３ｄは、固定窓受部１４ｂの溝底から上方側に向けて突出し、下枠１３の長手方向に延びるように設けられている。この差込突片部１３ｄは、図６（ｂ）に示すように、固定窓部材２０の下框２４に応じた位置となるように固定窓受部１４ｂの溝底に部分的に設けられている。なお、この差込突片部１３ｄが固定窓部材２０の下端側をスライド不能とするストッパーとして機能するものでもよい。
【００３２】
また、本実施形態では、図３及び図６（ｂ）に示すように、下枠１３に、閉鎖状態の可動窓部材３０が配される部位の可動窓受部１４ａの見込方向固定窓受部側（屋外２側）及び固定窓受部１４ｂの反縦枠側を区画する突段部１５を設けた構成としている。この突段部１５は、上面が当該下枠１３の上面と面一状とされている。また、この突段部１５は、可動窓受部１４ａ及び固定窓受部１４ｂの溝底から段上状に設けられている。また、可動窓受部１４ａ及び固定窓受部１４ｂは、上記と概ね同様、見込方向に一連状とされた下側窓受部１４によって構成されている。つまり、下側窓受部１４の突段部１５が設けられた部位は、可動窓受部１４ａのみの幅狭部とされ、固定窓受部１４ｂが設けられた部位は、一連状とされた可動窓受部１４ａ及び固定窓受部１４ｂによって幅広部とされている。つまりは、本実施形態では、下側窓受部１４を、可動窓受部１４ａのみの幅狭部の開口幅方向両側に、幅広部を設けた構成としている。
【００３３】
また、下側窓受部１４の可動窓受部１４ａの屋外２側に向く溝側壁面に、可動窓部材３０の下框３４の屋内３側に向く表面が近接して配置される。また、可動窓受部１４ａの突段部１５が設けられた部位の屋内３側に向く溝側壁面、つまり、突段部１５の屋内３側に向く段壁面に、可動窓部材３０の下框３４の屋外２側に向く表面が近接して配置される。
また、この下側窓受部１４の固定窓受部１４ｂの屋内３側に向く溝側壁面に固定窓部材２０の下框２２の屋外２側に向く表面が近接して配置される。図例では、上記同様、固定窓受部１４ｂの屋内３側に向く溝側壁面に固定窓部材２０の縦框２６の屋外２側に向く表面を当接させた例を示している。
また、固定窓受部１４ｂの開口幅方向中央側を区画する突段部１５の開口幅方向外側に向く段壁面に、固定窓部材２０の開口幅方向中央側の縦框２６の開口幅方向中央側に向く外側面が当接または近接される。つまり、固定窓部材２０は、開口幅方向中央側の縦框２６が突段部１５に当接または近接され、開口幅方向外側の縦框２６が後記する縦枠１６に当接されてスライド不能とされている。なお、このような突段部１５を上枠１１にも設けた構成としてもよい。
【００３４】
また、可動窓受部１４ａ及び固定窓受部１４ｂの深さ寸法を互いに同寸法としている。つまり、これら可動窓受部１４ａ及び固定窓受部１４ｂの溝底を、同一平面状としている。なお、図例では、これら可動窓受部１４ａ及び固定窓受部１４ｂの溝底を、水平面状とした例を示しているが、適宜の水勾配を設けた構成としてもよい。この場合、下流側となる固定窓受部１４ｂの溝底等の適所に、屋外２側の適宜の排水通路に連通される排水孔を設けた構成としてもよい。
【００３５】
両側の縦枠１６，１６は、上下方向に延びるように長尺状とされている。本実施形態では、固定窓部材２０の縦框２６及び可動窓部材３０の縦框３６が当接される縦枠１６に、これら固定窓部材２０及び可動窓部材３０の縦框２６，３６の全体を受け入れる凹溝状の窓受部１７を設けた構成としている。また、両側の縦枠１６，１６のそれぞれに、固定窓部材２０，２０及び可動窓部材３０，３０の縦框２６，２６，３６，３６を受け入れる窓受部１７，１７を設けた構成としている。これら窓受部１７，１７は、各縦枠１６，１６の互いに向き合う内側面側において互いに向き合う方向に向けて開口するように設けられている。また、これら窓受部１７，１７は、各縦枠１６，１６の全長に亘って延びるように設けられている。なお、両側の縦枠１６，１６は、互いに同様の構成であるので、以下では一方を例にとって説明する。
【００３６】
窓受部１７は、可動窓部材３０の縦框３６を受け入れる屋内３側の可動窓受部１７ａと、固定窓部材２０の縦框２６を受け入れる屋外２側の固定窓受部１７ｂと、を見込方向に一連状に設けた構成とされている。これら可動窓受部１７ａ及び固定窓受部１７ｂの溝底は、上記同様、同一平面状とされている。また、図例では、この窓受部１７の深さ寸法を、可動窓部材３０の縦框３６の窓幅方向に沿う寸法と略同寸法とした例を示しているが、縦框３６の窓幅方向に沿う寸法よりも大としてもよい。
また、この窓受部１７の溝底に、固定窓部材２０及び開放状態の可動窓部材３０のそれぞれの開口幅方向外側の縦框２６，３６の開口幅方向外側に向く外側面が当接される。また、この窓受部１７の屋外２側に向く溝側壁面に、開放状態の可動窓部材３０の縦框３６の屋内３側に向く表面が近接して配置される。また、この窓受部１７の屋内３側に向く溝側壁面に、固定窓部材２０の縦框２６の屋外２側に向く表面が当接される。この窓受部１７の各溝側壁面は、上枠１１及び下枠１３の上側窓受部１２及び下側窓受部１４の各溝側壁面と略同一平面状となるように配される。
【００３７】
また、本実施形態では、図６及び図９（ｂ）に示すように、縦枠１６の上端部及び下端部に、上枠１１及び下枠１３の可動窓受部１２ａ，１４ａ及び固定窓受部１２ｂ，１４ｂに嵌め込まれる突部１８，１９（上端突部１８及び下端突部１９）を設けた構成としている。また、図７〜図９に示すように、上枠１１及び下枠１３と縦枠１６とを横勝状に接合した構成としている。つまり、縦枠１６の上端部に、上枠１１の長手方向の端面において開口する上側窓受部１２に嵌め込まれる上端突部１８を上方側に向けて突出させるように設けた構成としている。また、縦枠１６の下端部に、下枠１３の長手方向の端面において開口する下側窓受部１４に嵌め込まれる下端突部１９を下方側に向けて突出させるように設けた構成としている。これら上端突部１８及び下端突部１９は、開口幅方向外側に向く外側面が当該縦枠１６の開口幅方向外側に向く外側面と面一状となるように設けられている。また、縦枠１６と上枠１１及び下枠１３とは、縦枠１６の外側面と上枠１１及び下枠１３の長手方向の端面とが略同一平面状となるように接合される。
【００３８】
なお、上記のような態様に代えて、上枠１１及び下枠１３と縦枠１６とが縦勝状に接合される態様としてもよい。この場合は、縦枠１６の上端部及び下端部に、開口幅方向中央側に向けて突出させるように突部１８，１９を設けた構成等としてもよい。
また、上記した各窓部材２０，２０，３０，３０は、枠部材１０を枠組みする際に建て付けられるものでもよい。
また、枠部材１０並びに上記した各窓部材２０，２０，３０，３０の框２１，２１，３１，３１は、金属系材料または合成樹脂系材料から形成されたものでもよい。金属系材料としては、アルミニウムやステンレス等が挙げられる。また、合成樹脂系材料としては、塩化ビニル樹脂や、その他、種々の樹脂の採用が可能であり、また、ガラス繊維や炭素繊維等の強化繊維を含んだいわゆる繊維強化樹脂でもよい。
【００３９】
本実施形態に係る窓装置１は、上述のような構成としたことで、見栄えの向上が可能で、かつ断熱性を向上させることができる。
つまり、それぞれに透光板２７，３７の四周に框２１，３１が設けられた固定窓部材２０及び可動窓部材３０を備えた構成としている。従って、ガラス等の透光板２７，３７を直接的に枠部材１０に組み付ける必要があるようなものと比べて、取扱性を向上させることができる。
また、枠部材１０の上枠１１及び下枠１３に、固定窓部材２０及び可動窓部材３０の上框２２，３２及び下框２４，３４の全体を受け入れる凹溝状の固定窓受部１２ｂ，１４ｂ及び可動窓受部１２ａ，１４ａを設けた構成としている。従って、上枠１１及び下枠１３の内周側に上框２２，３２及び下框２４，３４が大きく露出するようなものと比べて、すっきりとした印象を与えることができ、見栄えを向上させることができる。また、採光面積を効果的に大きくすることができる。また、開閉可能としながらも、両方の窓部材２０，３０を引違状にスライド自在に設けたものと比べて、ガイド部（ガイド突条１１ｃ及びレール部１３ｃ）の本数を少なくすることができ、断熱性を向上させることができる。
また、上記のように透光板２７，３７を断熱性の良好なものとすれば、上框２２，３２及び下框２４，３４が上枠１１及び下枠１３に埋込状に設けられるので、熱橋部となるようなことを抑制することができ、断熱性をより効果的に向上させることができる。
【００４０】
また、本実施形態では、枠部材１０の縦枠１６に、固定窓部材２０及び可動窓部材３０の縦框２６，３６の全体を受け入れる窓受部１７を設けた構成としている。従って、縦枠１６の内周側に縦框２６，３６が大きく露出するようなものと比べて、すっきりとした印象を与えることができる。なお、このような窓受部１７を縦枠１６に設けていない構成としてもよい。
また、本実施形態では、枠部材１０の下枠１３に、上面が当該下枠１３の上面と面一状とされた突段部１５を設けた構成としている。従って、閉鎖状態の可動窓部材３０が配される部位の可動窓受部１４ａの見込方向固定窓受部側及び固定窓受部１４ｂの反縦枠側に凹溝が設けられたものと比べて、塵埃等を溜まり難くすることができ、また、見栄えを向上させることができる。
【００４１】
また、本実施形態では、両側の縦枠１６，１６のそれぞれに当接される２枚の固定窓部材２０，２０と、これら固定窓部材２０，２０の見込方向一方側において引分状に配される２枚の可動窓部材３０，３０と、を備えた構成としている。従って、４枚の窓部材２０，２０，３０，３０によって採光面積を大きくすることができる。また、このように、採光面積を大きくしながらも、２枚の可動窓部材３０，３０を１本のガイド部（ガイド突条１１ｃ及びレール部１３ｃ）によってガイドすることができ、断熱性を向上させることができる。
【００４２】
また、本実施形態では、両側の縦枠１６，１６の上端部及び下端部に、上枠１１及び下枠１３の端面において開口する固定窓受部１２ｂ，１４ｂ及び可動窓受部１２ａ，１４ａに嵌め込まれる突部１８，１９を設けた構成としている。従って、両側の縦枠１６，１６の上端部及び下端部の突部１８，１９を固定窓受部１２ｂ，１４ｂ及び可動窓受部１２ａ，１４ａに嵌め込むことで、縦枠１６，１６と上枠１１及び下枠１３との位置決めを容易に行うことができ、組付性を向上させることができる。また、固定窓受部１２ｂ，１４ｂ及び可動窓受部１２ａ，１４ａの端面側の開口を突部１８，１９によって封止することができる。なお、このような突部１８，１９を縦枠１６，１６に設けた態様に代えて、縦枠１６，１６の窓受部１７，１７に嵌め込まれる突部を上枠１１及び下枠１３の長手方向両端部に設けた構成等としてもよい。さらには、このような突部を設けていない構成としてもよい。
【００４３】
また、上記のような突段部１５を設けていない構成としてもよい。この場合は、固定窓部材２０の開口幅方向中央側の縦框２６の開口幅方向中央側への移動を抑止するストッパー等を上枠１１及び下枠１３の両方または一方に設けた構成としてもよい。また、固定窓部材２０をスライド不能とする態様としては、このような態様に限られない。例えば、固定窓部材２０の上框２２、下框２４及び開口幅方向外側の縦框２６のうちの少なくとも一つを、枠部材１０の対応する箇所にねじ等の止具によって固定することでスライド不能とする態様としてもよい。
【００４４】
また、上記した例では、２枚の固定窓部材２０，２０を同一部材とし、２枚の可動窓部材３０，３０を同一部材とした例を示しているが、このような態様に限られない。また、固定窓部材２０及び可動窓部材３０のそれぞれの枚数は、２枚に限られず、少なくともいずれか一方が１枚または３枚以上であってもよい。
また、上記した例では、可動窓部材３０の下端部に下枠１３のレール部１３ｃ上を走行する転動体３５を設けた下荷重型とした例を示しているが、このような態様に限られない。上枠１１にレール部を設け、可動窓部材３０の上端部に、上枠１１のレール部に吊下支持されるランナー等を設けた上吊型としてもよい。
本実施形態に係る窓装置１を構成する各部材及び各部の構成は、上記したような構成に限られず、その他、種々の変形が可能である。
【符号の説明】
【００４５】
１      窓装置
１０    枠部材
１１    上枠
１２ａ  可動窓受部
１２ｂ  固定窓受部
１３    下枠
１４ａ  可動窓受部
１４ｂ  固定窓受部
１５    突段部
１６    縦枠
１７    窓受部
１８    上端突部（突部）
１９    下端突部（突部）
２０    固定窓部材
２１    框
２２    上框
２４    下框
２６    縦框
２７    透光板
３０    可動窓部材
３１    框
３２    上框
３４    下框
３６    縦框
３７    透光板
【図１】
2020002581.tif 000003
【図２】
2020002581.tif 000004
【図３】
2020002581.tif 000005
【図４】
2020002581.tif 000006
【図５】
2020002581.tif 000007
【図６】
2020002581.tif 000008
【図７】
2020002581.tif 000009
【図８】
2020002581.tif 000010
【図９】
2020002581.tif 000011